(57)【要約】【課題】誤入力が生じる可能性を低減することができる登録方法、登録システム側の登録制御方法、プログラム、管理装置及び登録システムを提供する。【解決手段】登録方法は、情報端末２０と施設２内の情報を管理する管理装置３０とを登録システム１に登録させる。登録方法は、取得ステップと、送信ステップとを含む。取得ステップは、情報端末２０と管理装置３０とが同一のＷｉ−Ｆｉネットワーク３に接続された状態で管理装置３０に関する管理情報を情報端末２０で取得する。送信ステップは、情報端末２０と管理装置３０との登録を登録システム１に行わせるように管理情報を登録システム１に情報端末２０から送信する。【選択図】図１
2019086853.tif 000002
【特許請求の範囲】
【請求項１】
情報端末と管理エリア内の情報を管理する管理装置とを登録システムに登録させる登録方法であって、
前記情報端末と前記管理装置とが同一のネットワークに接続された状態で前記管理装置に関する管理情報を前記情報端末で取得する取得ステップと、
前記情報端末と前記管理装置との登録を前記登録システムに行わせるように前記管理情報を前記登録システムに前記情報端末から送信する送信ステップとを
含む登録方法。
【請求項２】
前記送信ステップは、前記管理情報を送信する際に、前記管理情報を前記情報端末に関する端末情報と対応付けて送信する
請求項１に記載の登録方法。
【請求項３】
前記情報端末と前記管理装置との認証で用いる認証情報を前記情報端末で受け付ける認証情報受付ステップを、さらに含み、
前記取得ステップは、前記認証情報を用いた前記認証が成功した場合に、前記管理情報を取得する
請求項１又は２に記載の登録方法。
【請求項４】
前記ネットワークの状況が所定の条件を満たしているか否かを前記情報端末で判定する判定ステップを、さらに含み、
前記送信ステップは、前記ネットワークの状況が所定の条件を満たしていると判断された場合に、前記管理情報を送信する
請求項１〜３のいずれか一項に記載の登録方法。
【請求項５】
前記管理情報としての第１管理情報を基に前記管理装置を登録するか否かを判断するための前記管理装置に関する第２管理情報の入力を前記情報端末で受け付ける判断用情報受付ステップを、さらに含み、
前記送信ステップは、前記第２管理情報を、さらに送信する
請求項１〜４のいずれか一項に記載の登録方法。
【請求項６】
請求項１〜４のいずれか一項に記載された登録方法で取得された前記管理情報を基に、前記情報端末と前記管理装置とを対応付けて前記登録システムで登録する登録ステップを含む
登録システム側の登録制御方法。
【請求項７】
請求項５に記載された登録方法で取得された前記第１管理情報と前記第２管理情報とを照合して正しい組み合わせである場合に、前記第１管理情報を基に、前記情報端末と前記管理装置とを対応付けて前記登録システムで登録する登録ステップを含む
登録システム側の登録制御方法。
【請求項８】
コンピュータシステムに、
請求項１〜５のいずれか一項に記載の登録方法を実行させるためのプログラム。
【請求項９】
請求項１〜５のいずれか一項に記載の登録方法を用いる管理装置であって、
前記情報端末に前記管理情報を出力する出力部を備える
管理装置。
【請求項１０】
請求項６に記載の登録システム側の登録制御方法を用いる登録システムであって、
前記情報端末から送信された前記管理情報を基に、前記情報端末と前記管理装置とを対応付けて登録する登録部を備える
登録システム。
【請求項１１】
請求項７に記載の登録システム側の登録制御方法を用いる登録システムであって、
前記第１管理情報と前記第２管理情報とを照合して正しい組み合わせである場合に、前記第１管理情報を基に、前記情報端末と前記管理装置とを対応付けて前記登録システムで登録する登録部を備える
登録システム。
【発明の詳細な説明】
【技術分野】
【０００１】
本開示は、登録方法、登録システム側の登録制御方法、プログラム、管理装置及び登録システムに関し、より詳細には、管理装置に関する管理情報を登録する登録方法、登録システム側の登録制御方法、プログラム、管理装置及び登録システムに関する。
【背景技術】
【０００２】
従来、情報処理装置と通信装置との紐付けを行うサーバ装置が開示されている（例えば、特許文献１参照）。
【０００３】
特許文献１のサーバ装置は、通信装置でユーザが入力した情報処理装置の固有識別情報の一部を受け取り、予め受け取っている情報処理装置の固有識別情報の一部と合致する場合に、情報処理装置と通信装置との紐付け登録を行っている。
【先行技術文献】
【特許文献】
【０００４】
【特許文献１】特開２０１４−１７８９７２号公報
【発明の概要】
【発明が解決しようとする課題】
【０００５】
情報処理装置（管理装置）と通信装置との紐付け登録が行われる一連の動作において、ユーザによる入力操作が含まれているため、誤入力が生じる可能性がある。
【０００６】
そこで、本開示は上記事由に鑑みてなされており、誤入力が生じる可能性を低減することができる登録方法、登録システム側の登録制御方法、プログラム、管理装置及び登録システムを提供することを目的とする。
【課題を解決するための手段】
【０００７】
本開示の一態様に係る登録方法は、情報端末と管理エリア内の情報を管理する管理装置とを登録システムに登録させる。前記登録方法は、取得ステップと、送信ステップとを含む。前記取得ステップは、前記情報端末と前記管理装置とが同一のネットワークに接続された状態で前記管理装置に関する管理情報を前記情報端末で取得する。前記送信ステップは、前記情報端末と前記管理装置との登録を前記登録システムに行わせるように前記管理情報を前記登録システムに前記情報端末から送信する。
【０００８】
本開示の一態様に係る登録システム側の登録制御方法は、前記登録方法で取得された前記管理情報を基に、前記情報端末と前記管理装置とを対応付けて前記登録システムで登録する登録ステップを含む。
【０００９】
本開示の一態様に係る登録システム側の登録制御方法は、登録ステップを含む。前記登録ステップは、前記登録方法で取得された前記管理情報としての第１管理情報と第２管理情報とを照合して正しい組み合わせである場合に、前記第１管理情報を基に、前記情報端末と前記管理装置とを対応付けて前記登録システムで登録する。
【００１０】
本開示の一態様に係るプログラムは、コンピュータシステムに、前記登録方法を実行させるためのプログラムである。
【００１１】
本開示の一態様に係る管理装置は、前記登録方法を用いる。前記管理装置は、前記情報端末に前記管理情報を出力する出力部を備える。
【００１２】
本開示の一態様に係る登録システムは、前記登録システム側の登録制御方法を用いる。前記登録システムは、前記情報端末から送信された前記管理情報を基に、前記情報端末と前記管理装置とを対応付けて登録する登録部を備える。
【００１３】
本開示の一態様に係る登録システムは、前記登録システム側の登録制御方法を用いる。前記登録システムは、前記管理情報としての第１管理情報と第２管理情報とを照合して正しい組み合わせである場合に、前記第１管理情報を基に、前記情報端末と前記管理装置とを対応付けて前記登録システムで登録する登録部を備える。
【発明の効果】
【００１４】
本開示によると、誤入力が生じる可能性を低減することができる。
【図面の簡単な説明】
【００１５】
【図１】図１は、一実施形態に係る管理システムの構成の概要を示すブロック図である。
【図２】図２は、同上の管理システムにおける登録処理に係る動作を示すシーケンス図である。
【発明を実施するための形態】
【００１６】
以下に説明する各実施形態及び変形例は、本開示の一例に過ぎず、本開示は、実施形態及び変形例に限定されない。この実施形態及び変形例以外であっても、本開示に係る技術的思想を逸脱しない範囲であれば、設計等に応じて種々の変更が可能である。
【００１７】
（実施形態１）
本実施形態に係る登録システム（サーバ）、情報端末及び管理装置について説明する。
【００１８】
（１）全体概要
本実施形態では、施設を管理エリアとする管理装置に関する情報と、施設の人が所持する情報端末に関する情報とを関連付けて登録する機能を、基本的な機能として有するシステムについて、説明する。
【００１９】
本実施形態において、「施設」は、電力の需要家の施設を意味しており、電力会社等の電気事業者から電力の供給を受ける施設だけでなく、太陽光発電設備等の自家発電設備から電力の供給を受ける施設も含む。本実施形態では、戸建住宅を施設の一例として説明する。なお、施設は、戸建住宅に限らず、集合住宅の各住戸、オフィスビル、商業施設、病院、福祉施設、ホテル又は工場等であってもよい。
【００２０】
本実施形態では、コンピュータシステムが備える登録システム１は、図１に示すように、サーバ１０にて構成される。
【００２１】
サーバ１０は、図１に示すように、施設２に設けられた管理装置３０にネットワーク４を介して接続される。サーバ１０は、施設２の人が所持する情報端末２０に、ネットワーク４又は他のネットワークを介して接続される。
【００２２】
管理装置３０は、図１に示すように、施設２に設けられており、施設２における電力の消費に係る電力データを管理する。具体的には、管理装置３０は、施設２に設けられた計測システムから取得し、サーバ１０へネットワーク４を介して送信する。
【００２３】
サーバ１０は、情報端末２０からの要求により施設２内の管理装置３０との対応付けを行う。また、サーバ１０は、情報端末２０からの要求により、サーバ１０で記憶している電力データであって管理装置３０から送信された電力データに係る電力情報を、情報端末２０へ送信する。情報端末２０は、サーバ１０から受け取った電力情報を表示する。
【００２４】
本実施形態において、サーバ１０（登録システム１）と、情報端末２０と、管理装置３０とで、管理システム５を構成する。
【００２５】
（２）構成
次に、本実施形態に係る登録システム１（サーバ１０）、情報端末２０及び管理装置３０の構成について説明する。
【００２６】
（２．１）管理装置
本実施形態の管理装置３０の構成について説明する。
【００２７】
管理装置３０は、例えばＨＥＭＳ（Home Energy Management System）の管理装置である。
【００２８】
管理装置３０は、図１に示すように、通信部３１と、制御部３２と、記憶部３３とを有している。管理装置３０は、例えばプロセッサ及びメモリを有するマイクロコンピュータで構成されている。そして、プロセッサがメモリに格納されているプログラムを実行することにより、マイクロコンピュータが制御部３２として機能する。プロセッサが実行するプログラムは、ここではマイクロコンピュータのメモリに予め記録されているが、メモリカード等の記録媒体に記録されて提供されてもよいし、インターネット等の電気通信回線を通じて提供されてもよい。
【００２９】
通信部３１は、ルータ４０と無線で通信を行うための通信インタフェースを有している。通信部３１は、ルータ４０を介してサーバ１０及び情報端末２０と通信可能である。例えば、通信部３１は、ルータ４０との間で、例えばＷｉ−Ｆｉ（登録商標）に準拠した近距離無線通信を行う。つまり、通信部３１は、Ｗｉ−Ｆｉによるネットワーク接続を行うことで、無線によるルータ４０との通信が可能となる。
【００３０】
また、通信部３１は、計測システムとの通信を行うための通信インタフェースを有している。通信部３１は、計測システムと無線による通信を行う構成であってもよいし、有線通信を行う構成であってもよい。
【００３１】
記憶部３３は、ＲＯＭ（Read Only Memory）、ＲＡＭ（Random Access Memory）、またはＥＥＰＲＯＭ（Electrically Erasable Programmable Read Only Memory）等から選択されるデバイスで構成される。記憶部３３は、管理装置３０を識別する装置ＩＤ（例えば、ＭＡＣアドレス）を管理情報（第１管理情報）として記憶している。記憶部３３は、情報端末２０との間で認証を行う際に用いる第１認証情報を記憶している。ここで、第１認証情報は、情報端末２０が管理装置３０にログインするための第１ログインＩＤと第１ログイン用パスワードの組を含む。
【００３２】
制御部３２は、計測システムで計測された施設２の電力データを、通信部３１を介してサーバ１０に送信する。制御部３２は、記憶部３３で記憶している第１認証情報と情報端末２０から送信された第２認証情報とを用いて、情報端末２０に対する認証処理を行う。ここで、第２認証情報は、情報端末２０を所持する人が入力した第２ログインＩＤと第２ログイン用パスワードの組を含む。認証処理では、第１ログインＩＤと第１ログイン用パスワードの組と、第２ログインＩＤと第２ログイン用パスワードの組とが同一である場合に、認証が成功したと判断される。
【００３３】
制御部３２は、情報端末２０の要求に応じて、記憶部３３で記憶している管理情報（ここでは、装置ＩＤ）を、通信部３１を介して情報端末２０に送信する。
【００３４】
管理装置３０の筐体に、管理装置３０の製造番号（機器コード）が記載されている。
【００３５】
（２．２）情報端末
次に、本実施形態の情報端末の構成について説明する。
【００３６】
情報端末２０は、図１に示すように、通信部２１と、制御部２２と、入力部２３と、表示部２４と、記憶部２５とを備える。
【００３７】
情報端末２０は、例えばプロセッサ及びメモリを有するマイクロコンピュータで構成されている。そして、プロセッサがメモリに格納されているプログラムを実行することにより、マイクロコンピュータが制御部２２として機能する。プロセッサが実行するプログラムは、ここではマイクロコンピュータのメモリに予め記録されているが、メモリカード等の記録媒体に記録されて提供されてもよいし、インターネット等の電気通信回線を通じて提供されてもよい。
【００３８】
情報端末２０は、専用のアプリケーションソフト（管理用アプリケーションソフト）をインストールし、このアプリケーションソフトを起動する。管理用アプリケーションソフトを起動することにより、情報端末２０は、サーバ１０が情報端末２０に関する情報と管理装置３０に関する情報とを対応付けて登録する機能を実現する。さらに、情報端末２０は、管理用アプリケーションソフトを起動することにより、サーバ１０で記憶している管理装置３０から送信された電力データに係る電力情報を表示する機能等を実現する。
【００３９】
通信部２１は、ルータ４０と無線で通信を行うための通信インタフェースを有している。例えば、通信部２１は、ルータ４０との間でＷｉ−Ｆｉに準拠した近距離無線通信を行う。これにより、情報端末２０は、ルータ４０を介して管理装置３０との通信が可能、つまり同一ネットワーク（ルータ４０を親機とするＷｉ−Ｆｉで形成されるネットワーク３）上で通信が可能となる（図１参照）。さらに、情報端末２０は、ルータ４０及びネットワーク４を介してサーバ１０と通信可能となる。以下、ルータ４０を親機とするＷｉ−Ｆｉで形成されるネットワークをＷｉ−Ｆｉネットワーク３という。
【００４０】
また、通信部２１は、施設２外にある場合には、通信事業者が提供する携帯電話網（キャリア網）を介して、ネットワーク４に接続される。携帯電話網には、例えば３Ｇ（第３世代）回線、ＬＴＥ（Long Term Evolution）回線等がある。通信部２１は、公衆無線ＬＡＮ（Local Area Network）を介してネットワーク４に接続されてもよい。
【００４１】
入力部２３は、情報端末２０を所持する人（ユーザ）の操作を受け付ける機能を有している。表示部２４は、例えば液晶ディスプレイや有機ＥＬ（electroluminescence）ディスプレイのような薄型のディスプレイ装置である。本実施形態では、情報端末２０はタッチパネルディスプレイを搭載したスマートフォンであり、タッチパネルディスプレイが表示部２４及び入力部２３として機能する。そのため、以下の説明では、表示部２４に表示される画面上のボタンに対する種々のタッチ操作を、「タップ」等と表現する。ただし、入力部２３は、タッチパネルディスプレイに限らず、例えばキーボードやポインティングデバイス、メカニカルなスイッチ等であってもよい。
【００４２】
記憶部２５は、例えばフラッシュメモリ等の電気的に書換可能な不揮発性の半導体メモリで構成される。記憶部２５は、情報端末２０を識別する識別子（例えば、ＭＡＣアドレス）を記憶している。
【００４３】
制御部２２は、表示部２４に表示する画面を作成し、表示部２４を制御することにより、作成した画面を表示部２４に表示する機能を持つ。つまり、情報端末２０は、上述した管理用アプリケーションソフトをインストールし、管理用アプリケーションソフトを起動することにより、表示部２４を制御するための制御部２２としての機能を実現する。
【００４４】
例えば、制御部２２は、専用のアプリケーションソフトが起動されると、サーバ１０との接続の許否を判断するために情報端末２０を操作する人に割り当てられたユーザＩＤとパスワードとを入力する入力画面を表示する。制御部２２は、情報端末２０に関する情報と管理装置３０に関する情報とを対応付けて登録する場合には、登録の可否を判断するために用いられる判断用情報（第２管理情報）の入力を受け付ける登録画面を表示する。ここで、判断用情報は、管理装置３０に関連する情報、例えば製造番号である。判断用情報は、上述した製造番号等のように、管理装置３０を入手しないと取得できない情報とすることで、判断用情報は、管理装置３０のユーザであって情報端末２０の所有者しか知り得ない情報となる。これにより、管理情報の登録時のセキュリティを高めることができる。または、判断用情報は、管理装置３０のユーザであって情報端末２０の所有者だけが知っているオフライン情報としてもよい。この場合においても、オフライン情報は、管理装置３０のユーザであって情報端末２０の所有者しか知り得ない情報であるため、管理情報の登録時のセキュリティを高めることができる。
【００４５】
制御部２２は、管理用アプリケーションソフトがインストールされて最初に起動されると、ユーザＩＤ及びパスワードをサーバ１０に登録するために、ユーザＩＤ及びパスワードを入力部２３から受け付ける。制御部２２は、受け付けたユーザＩＤ及びパスワードの組と、情報端末２０の情報（端末情報）とをサーバ１０に通信部３１を介して送信する。ここで、端末情報とは、情報端末２０を識別するためのＭＡＣアドレス、情報端末２０に対してサーバ１０がプッシュ通知を行うために必要な情報である。
【００４６】
制御部２２は、図１に示すように、取得部２０１、判定部２０２、第１受付部２０３（認証情報受付部）、第２受付部２０４（管理情報受付部）及び出力部２０５を有している。
【００４７】
取得部２０１は、管理装置３０及び情報端末２０がルータ４０とＷｉ−Ｆｉにより接続されている状態、つまり同一ネットワークで接続されている状態で、通信部２１を介して管理装置３０の管理情報を、管理装置３０に関する情報として取得する。具体的には、取得部２０１は、管理装置３０及び情報端末２０が同一ネットワークで接続されている状態で管理装置３０が行う情報端末２０に対する認証処理において認証が成功した場合に、通信部２１を介して管理装置３０の管理情報を取得する。本実施形態では、取得部２０１は、管理装置３０がルータ４０と接続されているネットワーク（ここでは、Ｗｉ−Ｆｉネットワーク３）を介して、管理情報を取得する。
【００４８】
判定部２０２は、ルータ４０を介して管理装置３０と接続するネットワーク（ここでは、Ｗｉ−Ｆｉネットワーク３）の状況が所定の条件を満たしているか否かを判定する。具体的には、判定部２０２は、Ｗｉ−Ｆｉネットワークに対してセキュリティが設定されている場合に所定の条件を満たしていると判定する。例えば、判定部２０２は、Ｗｉ−Ｆｉネットワークに接続するためにパスワードの入力が必要であるか否かを判断する。判定部２０２は、パスワードの入力が必要と判断する場合には、所定の条件を満たしていると判定する。
【００４９】
第１受付部２０３は、上述した第２認証情報を、入力部２３を介して受け付ける。第１受付部２０３は、受け付けた第２認証情報を通信部２１及びルータ４０を介して管理装置３０へ送信する。例えば、情報端末２０のユーザによる手入力で入力部２３は第２認証情報を受け付ける。
【００５０】
第２受付部２０４は、表示部２４が登録画面を表示している場合に、上述した判断用情報を、入力部２３を介して受け付ける。第２受付部２０４は、受け付けた判断用情報を通信部２１及びルータ４０を介して管理装置３０へ送信する。例えば、情報端末２０のユーザによる手入力で入力部２３は判断用情報を受け付ける。
【００５１】
出力部２０５は、判定部２０２の判定結果に応じて、取得部２０１が取得した管理情報及び第２受付部２０４が受け付けた判断用情報を、通信部２１を介してサーバ１０に送信（出力）する。具体的には、出力部２０５は、Ｗｉ−Ｆｉネットワークの状況が所定の条件を満たしていると判定部２０２が判定する場合に、管理情報及び判断用情報をサーバ１０へ通信部２１を介して送信する。出力部２０５は、Ｗｉ−Ｆｉネットワークの状況が所定の条件を満たしていないと判定部２０２が判定する場合に、管理情報及び判断用情報の送信は行わない。
【００５２】
（２．３）登録システム
次に、本実施形態の登録システム１の構成について説明する。
【００５３】
登録システム１は、上述したように、本実施形態ではサーバ１０にて構成されている。サーバ１０は、情報端末２０及び管理装置３０とネットワーク４を介して通信可能である。
【００５４】
サーバ１０は、計測システムで計測された電力データを、管理装置３０を介して取得する。サーバ１０は、管理装置３０と、情報端末２０との関連付けを行う。また、サーバ１０は、情報端末２０の要求に応じて、対応付けられた管理装置３０から受け取った電力データに係る電力情報を情報端末２０に送信する。
【００５５】
サーバ１０は、図１に示すように、記憶部１１と、通信部１２と、制御部１３とを備える。サーバ１０は、例えばプロセッサ及びメモリを有するマイクロコンピュータで構成されている。そして、プロセッサがメモリに格納されているプログラムを実行することにより、マイクロコンピュータが制御部１３として機能する。プロセッサが実行するプログラムは、ここではマイクロコンピュータのメモリに予め記録されているが、メモリカード等の記録媒体に記録されて提供されてもよいし、インターネット等の電気通信回線を通じて提供されてもよい。
【００５６】
記憶部１１は、ＲＯＭ（Read Only Memory）、ＲＡＭ（Random Access Memory）、またはＥＥＰＲＯＭ（Electrically Erasable Programmable Read Only Memory）等から選択されるデバイスで構成される。記憶部１１は、計測システムから取得した施設２の電力データを記憶する。
【００５７】
記憶部１１は、施設２の管理装置３０と、施設２の人が所持する情報端末２０とを対応付けて記憶する。具体的には、記憶部１１は、施設２の管理装置３０と施設２の人を識別するユーザＩＤとを対応付けて記憶する。さらに記憶部１１は、ユーザＩＤと、ユーザＩＤで識別される人が所持する情報端末２０とを対応付けて記憶する。これにより、管理装置３０は、ユーザＩＤを介して情報端末２０と対応付けられる。
【００５８】
記憶部１１は、管理装置３０に関する情報を予め記憶している。具体的には、記憶部１１は、第１基準情報と第２基準情報とを対応付けて記憶している。第１基準情報は管理装置３０の装置ＩＤであり、第２基準情報は管理装置３０の製造番号である。
【００５９】
記憶部１１は、ユーザＩＤとパスワードとの組と、情報端末２０の情報（端末情報）を記憶している。
【００６０】
通信部１２は、情報端末２０及び管理装置３０との通信を可能にする通信インタフェースを有している。通信部１２は、管理情報及び判断用情報を、ネットワーク４を介して情報端末２０から受信する。
【００６１】
制御部１３は、情報端末２０からユーザＩＤとパスワードとの組を、通信部１２を介して受け取ると、受け取った組と同一の組が記憶部１１に記憶されているかを判断する。同一の組が記憶されている場合には、サーバ１０と情報端末２０との接続を許可する。つまり、登録の処理や、記憶している電力データに関する電力情報を情報端末２０で表示することが可能となる。
【００６２】
制御部１３は、図１に示すように、判定部１４及び登録部１５を有する。
【００６３】
判定部１４は、管理情報と判断用情報とを、通信部１２を介して情報端末２０から受け取る。判定部１４は、受け取った管理情報と判断用情報との対応付けが正しい組み合わせであるか否かを、記憶部１１で記憶している第１基準情報と第２基準情報との対応付けと比較して判定する。具体的には、判定部１４は、管理情報としての装置ＩＤと第１基準情報としての装置ＩＤとが、判断用情報としての製造番号と第２基準情報としての製造番号とが、それぞれ同一であるか否かを判断する。それぞれが同一である場合に、判定部１４は、受け取った管理情報と判断用情報との対応付けが正しい組み合わせであると判断する。
【００６４】
登録部１５は、情報端末２０から受け取った管理情報（装置ＩＤ）と判断用情報（製造番号）との対応付けが正しい組み合わせであると判定部１４が判定する場合には、管理装置３０に関する情報と情報端末２０に関する情報とを対応付けて記憶部１１に登録する。具体的には、登録部１５は、サーバ１０と情報端末２０との接続の許否を判断するために用いたユーザＩＤ（記憶部１１で記憶されているユーザＩＤ）と、管理装置３０とを対応付ける。例えば、登録部１５は、装置ＩＤとユーザＩＤとの対応付けを行う。これにより、管理情報（装置ＩＤ）は、情報端末２０に係る情報（ここでは、ユーザＩＤ）と対応付けられる。
【００６５】
上述したように、ユーザＩＤは、端末情報と対応付けられているので、管理情報は、ユーザＩＤを介して端末情報とも対応付けられている。これにより、サーバ１０は、管理情報で表される管理装置３０から得られた電力データに係る電力情報を、対応する情報端末２０にプッシュ通知により定期的に送信することができる。
【００６６】
管理装置３０に関する情報と情報端末２０に関する情報（ユーザＩＤ）とが対応付けられた後、制御部１３は、ユーザＩＤが入力された情報端末２０から電力データの要求を受け付けると、対応する管理装置３０から取得した電力データを記憶部１１から取得する。制御部１３は、取得した電力データを基に電力情報（例えば、日々の使用電力量を表すグラフ情報）を生成し、情報端末２０に送信して、情報端末２０に表示部２４で表示させる。
【００６７】
（３）動作説明
（３．１）管理システムの登録時の動作
以下、本実施形態における管理システム５の登録時の動作について、図２を用いて説明する。
【００６８】
管理システム５における登録時の処理は、例えば管理用アプリケーションソフトが情報端末２０にインストールされ、最初に起動したときに行われる。管理用アプリケーションソフトが、最初に起動されると、ユーザＩＤとパスワードの登録が行われ、端末情報と、ユーザＩＤとパスワードとの組とが対応付けられてサーバ１０の記憶部１１に記憶される。このとき、情報端末２０は、サーバ１０と接続が完了した状態となる。そして、情報端末２０のユーザの画面遷移に関する操作により、登録画面が表示される。
【００６９】
ここでは、管理用アプリケーションソフトが最初に起動され、その後ユーザの操作により登録画面が表示された状態となった以降の動作について説明する。
【００７０】
情報端末２０の制御部２２は、ルータ４０とネットワーク接続されているか否かを判定する（ステップＳ１）。ここでは、情報端末２０の制御部２２は、ルータ４０とＷｉ−Ｆｉで接続されているか否かを判定する。
【００７１】
ルータ４０とネットワーク接続されていないと制御部２２が判定する場合、処理は終了する。
【００７２】
ルータ４０とネットワーク接続されていると制御部２２が判定する場合、情報端末２０は、同一ネットワーク内（Ｗｉ−Ｆｉネットワーク３）に、管理装置３０が存在するか否かをサーチする（ステップＳ２）。具体的には、情報端末２０は、通信プロトコルとしてＵＰｎＰを用いて、管理装置３０からの応答を指示するサーチ情報を、Ｗｉ−Ｆｉネットワーク３内にブロードキャストにより送信する。
【００７３】
情報端末２０は、同一ネットワーク内に存在する管理装置３０からの応答情報を、Ｗｉ−Ｆｉネットワーク３を介して受け取る（ステップＳ３）。
【００７４】
情報端末２０の第１受付部２０３は、管理装置３０が認証を行うために、第２認証情報を入力部２３を介して受け付ける（ステップＳ４）。
【００７５】
第１受付部２０３は、受け取った第２認証情報を含む情報であって管理装置３０に認証を要求する第１要求情報を、Ｗｉ−Ｆｉネットワーク３を介して管理装置３０に送信する（ステップＳ５）。
【００７６】
管理装置３０の制御部３２は、記憶部３３で記憶している第１認証情報と情報端末２０から送信された第１要求情報に含まれる第２認証情報とを用いて、情報端末２０に対する認証処理を行い、認証結果を情報端末２０にＷｉ−Ｆｉネットワーク３を介して送信する。具体的には、制御部３２は、第１認証情報に含まれる第１ログインＩＤと第１ログイン用パスワードの組と第２認証情報に含まれる第２ログインＩＤと第２ログイン用パスワードの組とが一致する場合には、認証結果として認証が成功した旨の情報を送信する。制御部３２は、第１認証情報に含まれる第１ログインＩＤと第１ログイン用パスワードの組と第２認証情報に含まれる第２ログインＩＤと第２ログイン用パスワードの組とが一致しない場合には、認証結果として認証が失敗した旨の情報を送信する。
【００７７】
認証が失敗した場合には、処理は終了する。
【００７８】
認証が成功した場合には、情報端末２０の取得部２０１は、管理情報を要求する旨の第２要求情報を管理装置３０にＷｉ−Ｆｉネットワーク３を介して送信する（ステップＳ７）。
【００７９】
管理装置３０の制御部３２は、第２要求情報を情報端末２０から受け取ると、記憶部３３が記憶している管理情報を、情報端末２０にＷｉ−Ｆｉネットワーク３を介して送信する（ステップＳ８）。
【００８０】
管理情報を受け取った後、第２受付部２０４は、登録画面が表示されている状態で、判断用情報を入力部２３を介して受け付ける（ステップＳ９）。
【００８１】
管理情報を受け取った後、第２受付部２０４は、登録画面が表示されている状態で、判断用情報を入力部２３を介して受け付ける（ステップＳ９）。
【００８２】
情報端末２０の判定部２０２は、Ｗｉ−Ｆｉネットワーク３の状況が所定の条件を満たしているか否かを判定する。情報端末２０の出力部２０５は、判定部２０２の判定結果に応じて、取得部２０１が取得した管理情報及び第２受付部２０４が受け付けた判断用情報を、通信部２１を介してサーバ１０に送信する（ステップＳ１０）。具体的には、出力部２０５は、Ｗｉ−Ｆｉネットワークの状況が所定の条件を満たしていると判定部２０２が判定する場合に、管理情報及び判断用情報をサーバ１０へ通信部２１を介して送信する。出力部２０５は、Ｗｉ−Ｆｉネットワークの状況が所定の条件を満たしていないと判定部２０２が判定する場合には、処理を終了する。ここで、所定の条件を満たしているか否かの判定は、Ｗｉ−Ｆｉネットワークに対してセキュリティが設定されているか否かの判定である。例えば、Ｗｉ−Ｆｉネットワークに接続する際にパスワードの入力が必要であるか否かの判定である。当該判定は、上述したように、ステップＳ１０を行うタイミングで行ってもよいし、他のタイミング、例えばステップＳ１とステップＳ２との間のタイミングで行ってもよい。
【００８３】
サーバ１０は、管理情報と判断用情報とを、情報端末２０から受け取ると、登録処理を行う（ステップＳ１１）。具体的には、サーバ１０の判定部１４は、管理情報と判断用情報とが正しい組み合わせであるか否かを判定する。管理情報と判断用情報とが正しい組み合わせである場合には、登録部１５は、受け取った管理情報と、サーバ１０との接続の許否の判断に使用されたユーザＩＤとを対応付けて、記憶部１１に記憶する。
【００８４】
なお、情報端末２０は、管理情報と判断用情報とを同一のタイミングで送信する構成としているが、管理情報と判断用情報とを別々のタイミングで送信してもよい。
【００８５】
なお、上述した動作では、ステップＳ２において情報端末２０がサーチ情報を送信した後、ステップＳ３において情報端末２０が応答情報を受け取らない、つまりＷｉ−Ｆｉネットワーク３上に管理装置３０が存在しない場合がある。この場合、管理装置３０の管理情報（装置ＩＤ）とユーザＩＤとの対応付けがされない。そこで、情報端末２０は、管理装置３０の管理情報とユーザＩＤとの対応付けがされない状態であって管理用アプリケーションソフトを２回目以降起動した場合であっても、ユーザの画面遷移の操作により登録画面を表示し、上記の動作を再度行ってもよい。
【００８６】
または、管理情報とユーザＩＤとの対応付けがされない状態であって管理用アプリケーションソフトを２回目以降起動した場合、情報端末２０は、他の登録方法（登録手順）によって管理情報とユーザＩＤとの対応付けを行ってもよい。
【００８７】
（変形例）
以下に、変形例について列記する。なお、以下に説明する変形例は、上記各実施形態と適宜組み合わせて適用可能である。
【００８８】
上述した管理システム５では、情報端末２０は、端末情報を、ユーザＩＤ及びパスワードの登録時に、ユーザＩＤ及びパスワードの組とともに送信する構成としたが、この構成に限定されない。情報端末２０は、ユーザＩＤ及びパスワードの登録時にはユーザＩＤ及びパスワードの組のみを送信してもよい。この場合、情報端末２０は、装置ＩＤを送信する際に、端末情報を送信する。
【００８９】
上述した情報端末２０は、ステップＳ２において情報端末２０がサーチ情報を送信した後、ステップＳ３において情報端末２０が応答情報を受け取らない場合には、即座に処理を終了する構成としたが、この構成に限定されない。情報端末２０は、応答情報を受け取らない場合には、サーチ情報の送信を所定回数繰り返してもよい。この場合、情報端末２０は、サーチ情報の送信を所定回数繰り返しても応答情報を受け取らない場合には、処理を終了する。
【００９０】
上述した情報端末２０は、判断用情報として製造番号を送信する構成としたが、この構成に限定されない。情報端末２０は、装置ＩＤと紐付けが可能な情報を判断用情報として送信してもよい。例えば、情報端末２０は、製品名称を判断用情報として送信してもよい。
【００９１】
上述した情報端末２０は、判断用情報をサーバ１０に送信する構成としたが、この構成に限定されない。情報端末２０は、判断用情報を送信しない構成であってもよい。この場合、サーバ１０の登録部１５は、情報端末２０から管理情報（装置ＩＤ）を受け取ると、先に受け取っているユーザＩＤ及びパスワードの組と対応付けて、記憶部１１に記憶する。
【００９２】
上述した情報端末２０は、判断用情報として製造番号を、ユーザの手入力で受け付ける構成としたが、この構成に限定されない。情報端末２０は、判断用情報（例えば、製造番号）を表す情報コード（文字列、バーコード、ＱＲコード（Ｑｕｉｃｋ  Ｒｅｓｐｏｎｓｅコード（登録商標））など）を読み取る構成であってもよい。この場合、情報端末２０の入力部２３は、カメラを含む。カメラは、上述した情報コードを読み取る。
【００９３】
または、情報端末２０は、非接触通信により管理装置３０から判断用情報を取得してもよい。この場合、管理装置３０は判断用情報（例えば、製造番号）を非接触通信により送信する送信部を有し、情報端末２０の入力部２３は判断用情報を非接触通信により受信する受信部を含む。情報端末２０の受信部は、管理装置３０の送信部から送信された判断用情報を非接触通信により受信する。
【００９４】
上述した情報端末２０は、管理装置３０と同一のネットワークで接続されている状態で、当該ネットワークで装置ＩＤを取得する構成としたが、この構成に限定されない。情報端末２０は、情報端末２０と管理装置３０とが接続されているネットワークとは異なるネットワークで、装置ＩＤを取得してもよい。情報端末２０は、例えば、携帯電話網（キャリア網）、公衆無線ＬＡＮを用いて装置ＩＤを取得してもよいし、非接触通信により装置ＩＤを取得してもよい。
【００９５】
コンピュータシステムである登録システム１は、１または複数のコンピュータで構成されるシステムであってもよい。例えば、登録システム１の少なくとも一部の機能は、クラウド（クラウドコンピューティング）によって実現されてもよい。
【００９６】
管理装置３０は、施設２における電力の消費に係る電力データの管理を行う構成としたが、この構成に限定されない。管理装置３０は、電力のデータに限らず、エネルギー資源のデータを管理する構成であってもよい。例えば、管理装置３０は、施設２における水道の使用量に係るデータ、又はガスの使用量に係るデータを管理し、サーバ１０に送信してもよい。または、管理装置３０は、施設２内に設けられた撮像装置が撮像した画像を管理し、サーバ１０に送信する構成であってもよい。
【００９７】
また、施設２に１つの管理装置３０が設けられる構成としたが、この構成に限定されない。施設２を複数のエリアに分割し、各エリアに管理装置３０を設けてもよい。この場合、各エリアが管理エリアに相当する。
【００９８】
情報端末２０と管理装置３０との間の通信で用いられるプロトコルとして、ＵＰｎＰを一例としたが、情報端末２０と管理装置３０との間で通信が可能であれば他のプロトコルであってもよい。
【００９９】
情報端末２０と管理装置３０とが接続される同一のネットワークとしてＷｉ−Ｆｉネットワーク３を一例として用いたが、ネットワークはこれに限定されない。例えば、Ｂｌｕｅｔｏｏｔｈ（登録商標）であってもよい。
【０１００】
サーバ１０の登録部１５は、端末情報と対応付けられたユーザＩＤと、装置ＩＤとを対応付けて記憶部１１に登録する構成としたが、この構成に限定されない。登録部１５は、装置ＩＤと情報端末２０とを対応付けて記憶部１１に登録してもよい。
【０１０１】
上記実施形態は、本開示の様々な実施形態の一つに過ぎない。上記実施形態は、本開示の目的を達成できれば、設計等に応じて種々の変更が可能である。また、管理システム５、特に情報端末２０側の機能は、登録方法、コンピュータプログラム、又はプログラムを記録した記録媒体等で具現化されてもよい。一態様に係る登録方法は、情報端末２０と管理エリア（施設２）に対応付けられた管理装置３０とを登録システム１（サーバ１０）に登録させる登録方法である。登録方法は、取得ステップと、送信ステップとを含んでいる。取得ステップは、情報端末２０と管理装置３０とが同一のネットワーク（Ｗｉ−Ｆｉネットワーク３）に接続された状態で管理装置３０に関する管理情報（装置ＩＤ）を情報端末２０で取得する。送信ステップは、情報端末２０と管理装置３０との登録を登録システム１に行わせるように管理情報を登録システム１に情報端末２０から送信する。一態様に係るプログラムは、コンピュータシステムを、上述した登録方法を実行させるためのプログラムである。
【０１０２】
また、管理システム５における登録システム１（サーバ１０）側の機能は、登録制御方法、コンピュータプログラム、又はプログラムを記録した記録媒体等で具現化されてもよい。一態様に係る登録制御方法は、上述した登録方法で取得された管理情報（装置ＩＤ）を基値、情報端末２０と管理装置３０とを対応付けて登録する登録ステップを含む。または、一態様に係る登録制御方法は、上述した登録方法で取得された管理装置（装置ＩＤ）と判断用情報（製造番号）とを照合して正しい組み合わせである場合に、管理情報を基に、情報端末２０と管理装置３０とを対応付けて登録する登録ステップを含む。一態様に係るプログラムは、コンピュータシステムを、上述した登録制御方法を実行させるためのプログラムである。
【０１０３】
本開示における登録方法、登録システム１（サーバ１０）側の登録制御方法、管理装置３０又は登録システム１の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における登録方法、登録システム１側の登録制御方法、管理装置３０又は登録システム１の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１又は複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【０１０４】
なお、上記実施形態では、情報端末２０は、判定部２０２、第１受付部２０３及び第２受付部２０４を備える構成としたが、判定部２０２、第１受付部２０３及び第２受付部２０４は必須の構成要件ではない。つまり、ネットワーク（Ｗｉ−Ｆｉネットワーク３）の状況が所定の条件を満たしているか否かの判断処理、認証処理、及び管理情報と判断用情報との組み合わせが正しいか否かの判断処理は、必須の処理ではない。
【０１０５】
（まとめ）
以上説明したように、第１の態様に係る登録方法は、情報端末（２０）と管理エリア（例えば、施設２）内の情報を管理する管理装置（３０）とを登録システム（１）に登録させる。登録方法は、取得ステップと、送信ステップとを含む。取得ステップは、情報端末（２０）と管理装置（３０）とが同一のネットワーク（例えば、Ｗｉ−Ｆｉネットワーク３）に接続された状態で管理装置（３０）に関する管理情報を情報端末（２０）で取得する。送信ステップは、情報端末（２０）と管理装置（３０）との登録を登録システム（１）に行わせるように管理情報を登録システム（１）に情報端末（２０）から送信する。
【０１０６】
この登録方法によると、管理情報は、情報端末（２０）と管理装置（３０）とが同一のネットワークに接続された状態で取得され、情報端末（２０）から登録システム（１）に送信される。これにより、管理情報の誤入力が生じる可能性を低くすることができる。さらに、登録システム（１）では、受け取った管理情報の管理装置（３０）と情報端末（２０）とは通信可能であるとみなすことができるので、管理装置（３０）と、管理情報の送信元である情報端末（２０）との対応付けが可能となる。例えば、管理装置（３０）は、管理エリア（施設２）内の電力データを管理している。このような電力データは管理エリアに関連しない人には見せたくない。登録システム（１）では、受け取った管理情報の管理装置（３０）と情報端末（２０）とは通信可能であるとみなすので、情報端末（２０）の所持者を管理エリアに関連する人とみなすことができる。そのため、登録システム（１）は、管理エリアに関連する人であるとみなされた情報端末（２０）の所持者に対して管理対象の情報（例えば電力データ）を提供することができる。
【０１０７】
第２の態様に係る登録方法では、第１の態様において、送信ステップは、管理情報を送信する際に、管理情報を情報端末（２０）に関する端末情報と対応付けて送信する。この登録方法によると、登録システム（１）側は、管理情報と、端末情報との対応付けが容易となる。
【０１０８】
第３の態様に係る登録方法は、第１又は第２の態様において、情報端末（２０）と管理装置（３０）との認証で用いる認証情報を情報端末（２０）で受け付ける認証情報受付ステップを、さらに含む。取得ステップは、認証情報を用いた認証が成功した場合に、管理情報を取得する。この登録方法によると、管理情報は、認証が成功した場合に取得されるので、管理情報を取得する際のセキュリティを高めることができる。
【０１０９】
第４の態様に係る登録方法は、第１〜第３のいずれかの態様において、ネットワーク（例えば、Ｗｉ−Ｆｉネットワーク３）の状況が所定の条件を満たしているか否かを情報端末（２０）で判定する判定ステップを、さらに含む。送信ステップは、ネットワークの状況が所定の条件を満たしていると判断された場合に、管理情報を送信する。この登録方法によると、管理情報はネットワークの状況が所定の条件を満たしていると判断された場合に送信されるので、管理情報を送信する際のセキュリティを高めることができる。
【０１１０】
第５の態様に係る登録方法は、第１〜第４のいずれかの態様において、判断用情報受付ステップを、さらに含む。判断用情報受付ステップは、管理情報としての第１管理情報を基に管理装置（３０）を登録するか否かを判定するための管理装置（３０）に関する第２管理情報（判断用情報）の入力を情報端末で受け付ける。送信ステップは、第２管理情報を、さらに送信する。この登録方法によると、第２管理情報がさらに送信されるので、管理情報を登録する際のセキュリティを高めることができる。
【０１１１】
第６の態様の登録システム（１）側の登録制御方法は、第１〜第４のいずれかの態様の登録方法で取得された管理情報を基に、情報端末（２０）と管理装置（３０）とを対応付けて登録システム（１）で登録する登録ステップを含む。
【０１１２】
この登録システム（１）側の登録制御方法によると、管理情報は、情報端末（２０）と管理装置（３０）とが同一のネットワークに接続された状態で取得され、情報端末（２０）から登録システム（１）に送信される。そのため、登録システム（１）では、受け取った管理情報の管理装置（３０）と情報端末（２０）とは通信可能であるとみなすことができるので、管理装置（３０）と、管理情報の送信元である情報端末（２０）との対応付けが可能となる。
【０１１３】
第７の態様の登録システム（１）側の登録制御方法は、登録ステップを含む。登録ステップは、第５の態様の登録方法で取得された第１管理情報と第２管理情報とを照合して正しい組み合わせである場合に、第１管理情報を基に、情報端末（２０）と管理装置（３０）とを対応付けて登録システム（１）で登録する。
【０１１４】
この登録システム（１）側の登録制御方法によると、管理情報は、情報端末（２０）と管理装置（３０）とが同一のネットワークに接続された状態で取得され、情報端末（２０）から登録システム（１）に送信される。そのため、登録システム（１）では、受け取った管理情報の管理装置（３０）と情報端末（２０）とは通信可能であるとみなすことができる。さらに、第１管理情報と第２管理情報とを照合して正しい組み合わせである場合に登録が行われるので、登録時のセキュリティが高めることができる。
【０１１５】
第８の態様のプログラムは、コンピュータシステムに、第１〜第５のいずれかの態様の登録方法を実行させるためのプログラムである。このプログラムによると、管理情報は、情報端末（２０）と管理装置（３０）とが同一のネットワークに接続された状態で取得され、情報端末（２０）から登録システム（１）に送信される。これにより、管理情報の誤入力が生じる可能性を低くすることができる。
【０１１６】
第９の態様の管理装置（３０）は、第１〜第５のいずれかの態様の登録方法を用いる。管理装置（３０）は、情報端末（２０）に管理情報を出力する出力部（通信部３１）を備える。この構成によると、情報端末（２０）は登録システム（１）に送信する管理情報を管理装置（３０）から取得するので、管理情報の誤入力が生じる可能性を低くすることができる。
【０１１７】
第１０の態様の登録システム（１）は、第６の態様の登録システム（１）側の登録制御方法を用いる。登録システムは、情報端末（２０）から送信された管理情報を基に、情報端末と管理装置とを対応付けて登録する登録部（１５）を備える。この構成によると、管理情報は、情報端末（２０）と管理装置（３０）とが同一のネットワークに接続された状態で取得され、情報端末（２０）から登録システム（１）に送信される。そのため、登録システム（１）では、受け取った管理情報の管理装置（３０）と情報端末（２０）とは通信可能であるとみなすことができるので、管理装置（３０）と、管理情報の送信元である情報端末（２０）との対応付けが可能となる。
【０１１８】
第１１の態様の登録システム（１）は、第７の態様の登録システム（１）側の登録制御方法を用いる。登録システム（１）は、第１管理情報と第２管理情報とを照合して正しい組み合わせである場合に、第１管理情報を基に、情報端末（２０）と管理装置（３０）とを対応付けて登録システム（１）で登録する登録部（１５）を備える。この構成によると、管理情報は、情報端末（２０）と管理装置（３０）とが同一のネットワークに接続された状態で取得され、情報端末（２０）から登録システム（１）に送信される。そのため、登録システム（１）では、受け取った管理情報の管理装置（３０）と情報端末（２０）とは通信可能であるとみなすことができる。さらに、第１管理情報と第２管理情報とを照合して正しい組み合わせである場合に登録が行われるので、登録時のセキュリティが高めることができる。
【符号の説明】
【０１１９】
１    登録システム
２    施設
３    Ｗｉ−Ｆｉネットワーク（ネットワーク）
１０    サーバ
１５    登録部
２０    情報端末
３０    管理装置
３１    通信部（出力部）
【図１】
2019086853.tif 000003
【図２】
2019086853.tif 000004